(57)【特許請求の範囲】
【請求項１】
加飾部品の裏面の幅方向に所定の間隔で突設された複数のフックをパネル部材の複数箇所に形成された係合孔に係合させることによって、加飾部品をパネル部材に取り付ける方法であって、
前記加飾部品は、幅方向に細長い樹脂部品であって、裏面には前記複数のフックが一体に突設され、
前記フックの各先端部には、鍵状の係合爪が、その向きが前期加飾部品幅方向中心点を境として左右で外側方を向くように互いに逆方向横向きに形成されており、
前記加飾部品の幅方向両端に突設された前記フックと他のフックの形状を異ならせ、幅方向両端に突設されたフックを鈍角のＬ字形状とし、他のフックを直角のＬ字状としており、
前記係合孔は、前記加飾部品の幅方向に長い長孔であり、
前記加飾部品を前記パネル部材に取り付ける工程は、
前記加飾部品を、その背面に突設された前記フックを前記パネル部材に向けた状態で当該加飾部品の表面側が凸となるように力を加えて弓状に湾曲させる工程と、
前記加飾部品の幅方向両端に突設された互いに逆方向を向く鈍角のＬ字形状のフックの係合爪を前記パネル部材の前記係合孔に引っ掛ける工程と、
引っ掛けた状態から前記加飾部品に加えていた力を開放して前記加飾部品を弾性復元力によって元の直線形状に復帰させ、前記複数のフックの各係合爪を前記パネル部材の各係合孔にそれぞれ係合させる工程と、
を有することを特徴とする加飾部品の取付方法。
【発明の詳細な説明】
【技術分野】
【０００１】
本発明は、加飾部品（オーナメント）のパネル部材への取付方法に関するものである。
【背景技術】
【０００２】
例えば、車両に搭載されたエアコンやオーディオ等のコントロールパネルには加飾部品が取り付けられているが、その取付構造の従来例を図１０及び図１１に示す。
【０００３】
即ち、図１０は加飾部品が取り付けられたガーニッシュ（パネル部材）の正面図、図１１（ａ）〜（ｃ）は加飾部品の取付手順を示す図１０のＦ−Ｆ線断面図であり、ガーニッシュ１０１は矩形枠状に一体成形された樹脂部品であって、その水平なフレーム１０１Ａには図１１に示すように上下方向に長い係合孔１０３が幅方向に適当な間隔で複数形成されている。
【０００４】
他方、加飾部品１０２は幅方向に細長い樹脂部品であって、その裏面の複数箇所（ガーニッシュ１０１に形成された前記係合孔１０３に対応する箇所）には図１１に示すようなフック１０４が突設されており、各フック１０４の先端部には下向きの係合爪１０４ａが一体に形成されている。
【０００５】
而して、加飾部品１０２は、これの裏面に突設されたフック１０４を図１１（ａ）に示すようにガーニッシュ１０１の係合孔１０３に矢印方向に差し込めば、図１１（ｂ）に示すようにフック１０４の係合爪１０４ａがガーニッシュ１０１の係合孔１０３に係合してフック１０４が撓む。そして、加飾部品１０２を更に押し込んでフック１０４の係合爪１０４ａが図１１（ｃ）に示すようにガーニッシュ１０１の係合孔１０３を通過するとフック１０４が弾性によって元の形状に復帰するため、該フック１０４の係合爪１０４ａがガーニッシュ１０１の係合孔１０３の周縁に係合し、加飾部品１０２がガーニッシュ１０１のフレーム１０１Ａに取り付けられて固定される。
【０００６】
尚、特許文献１には、上記と同様のフック構造によってエアバッグモジュールカバーをインストルメントパネルに固定する構造が開示されている。
【先行技術文献】
【特許文献】
【０００７】
【特許文献１】特開２０１１−２１３３１５号公報
【発明の概要】
【発明が解決しようとする課題】
【０００８】
しかしながら、図１０及び図１１に示す加飾部品１０２の従来の固定構造においては、ウエス等でガーニッシュ１０１の表面を拭く際に加飾部品１０２の幅方向両端（図１０のＧ部分）にウエス等が引っ掛かり、加飾部品１０２の両端部に図１２（ａ）に示すように上向きの外力が作用すると、加飾部品１０２が図１２に破線にて示すように持ち上がり、又、図１２（ｂ）に示すように下向きの外力が作用してもフック１０４の係合が簡単に外れるという問題がある。この問題を防ぐためにフック１０４の係合爪１０４ａの向きを上下に設定しても、加飾部品１０２の両端のフック１０４の係合爪１０４ａの向きは上か下の何れかになるため、ウエス等でガーニッシュ１０１の表面を上下に拭くと前記と同様に加飾部品１０２の左右両端のフック１０４が外れ易いという問題が発生する。
【０００９】
本発明は上記問題に鑑みてなされたもので、その目的とする処は、加飾部品の外れを防ぐことができる加飾部品の取付方法を提供することにある。
【課題を解決するための手段】
【００１０】
上記目的を達成するため、本発明は、加飾部品の裏面の幅方向に所定の間隔で突設された複数のフックをパネル部材の複数箇所に形成された係合孔に係合させることによって、加飾部品をパネル部材に取り付ける方法であって、
前記加飾部品は、幅方向に細長い樹脂部品であって、裏面には前記複数のフックが一体に突設され、
前記フックの各先端部には、鍵状の係合爪が、その向きが前期加飾部品幅方向中心点を境として左右で外側方を向くように互いに逆方向横向きに形成されており、
前記加飾部品の幅方向両端に突設された前記フックと他のフックの形状を異ならせ、幅方向両端に突設されたフックを鈍角のＬ字形状とし、他のフックを直角のＬ字状としており、
前記係合孔は、前記加飾部品の幅方向に長い長孔であり、
前記加飾部品を前記パネル部材に取り付ける工程は、
前記加飾部品を、その背面に突設された前記フックを前記パネル部材に向けた状態で当該加飾部品の表面側が凸となるように力を加えて弓状に湾曲させる工程と、
前記加飾部品の幅方向両端に突設された互いに逆方向を向く鈍角のＬ字形状のフックの係合爪を前記パネル部材の前記係合孔に引っ掛ける工程と、
引っ掛けた状態から前記加飾部品に加えていた力を開放して前記加飾部品を弾性復元力によって元の直線形状に復帰させ、前記複数のフックの各係合爪を前記パネル部材の各係合孔にそれぞれ係合させる工程と、
を有することを特徴とする。
【発明の効果】
【００１３】
本発明によれば、パネル部材の係合孔を幅方向に長い長孔としたため、該係合孔に係合するフックが突設された加飾部品に上下方向の外力が作用しても、加飾部品のフックの係合爪がパネル部材の係合孔から外れることがなく、例えばパネル部材の表面をウエス等で上下方向に拭いたために加飾部品の幅方向両端にウエス等が引っ掛かっても該加飾部品がパネル部材から外れることがない。
【００１４】
又、加飾部品の幅方向両端に突設されたフックの係合爪を外側方に向けて互いに逆方向に形成したため、加飾部品のパネル部材への固定に際しては、該加飾部品を弓状に湾曲させた状態で幅方向両端のフックの係合爪をパネル部材の対応する係合孔に係合させた状態で加飾部品に加えていた力を開放すれば、加飾部品が弾性復元力によって元の直線形状に復帰する。このとき、加飾部品の幅方向両端が外側方に向かって移動するため、該加飾部品の幅方向両端のフックの係合爪がパネル部材の係合孔に係合するとともに、他のフックの係合爪もパネル部材の係合孔に係合するため、加飾部品がパネル部材に確実に取り付けられる。
【図面の簡単な説明】
【００１５】
【図１】ガーニッシュに加飾部品を取り付ける状態を示す斜視図である。
【図２】本発明に係る取付方法によって加飾部品が取り付けられたガーニッシュの正面図である。
【図３】図２のＡ−Ａ線断面図である。
【図４】図３のＢ部拡大詳細図である。
【図５】ガーニッシュに加飾部品を取り付ける前の状態を示す平断面図である。
【図６】図５のＣ部拡大詳細図である。
【図７】図５のＤ部拡大詳細図である。
【図８】ガーニッシュに加飾部品を取り付けている状態を示す平断面図である。
【図９】図８のＥ部拡大詳細図である。
【図１０】従来の固定構造によって加飾部品が取り付けられたガーニッシュの正面図である。
【図１１】（ａ）〜（ｃ）は加飾部品の取付手順を示す図１０のＦ−Ｆ線断面図である。
【図１２】（ａ），（ｂ）は加飾部品に外力が加わった状態を示す図１０のＧ部断面図である。
【発明を実施するための形態】
【００１６】
以下に本発明の実施の形態を添付図面に基づいて説明する。
【００１７】
図１はガーニッシュに加飾部品を取り付ける状態を示す斜視図、図２は本発明に係る取付方法によって加飾部品が取り付けられたガーニッシュの正面図、図３は図２のＡ−Ａ線断面図、図４は図３のＢ部拡大詳細図、図５はガーニッシュに加飾部品を取り付ける前の状態を示す平断面図、図６は図５のＣ部拡大詳細図、図７は図５のＤ部拡大詳細図、図８はガーニッシュに加飾部品を取り付けている状態を示す平断面図、図９は図８のＥ部拡大詳細図である。
【００１８】
図１及び図２において、１は例えば車載用エアコンコントロールパネルのガーニッシュであって、このガーニッシュ１は、樹脂にて矩形枠状に一体成形されており、その水平なフレーム１Ａには加飾部品（オーナメント）２が本発明に係る取付方法によって取り付けられている。
【００１９】
即ち、ガーニッシュ１のフレーム１Ａには、図５に示すように、幅方向（横方向）に長い長孔状の６つの係合孔３が適当な間隔で幅方向（長手方向）に沿って形成されている。
【００２０】
他方、前記加飾部品２は、幅方向に細長い樹脂部品であって、その裏面（ガーニッシュ１への取付面）の幅方向６箇所（ガーニッシュ１の係合孔３に対応する箇所）には、図５に示すようにフック４，５，６，７，８，９がそれぞれ突設されている。
【００２１】
上記各フック４〜９の先端部には鍵状の係合爪４ａ，５ａ，６ａ，７ａ，８ａ，９ａがそれぞれ横向きに形成されているが、これらの係合爪４ａ〜９ａの向きは加飾部品２の幅方向中心を境としてこれの左右で外側方を向くように互いに逆方向となっている。具体的には、左側の３つのフック４〜６の係合爪４ａ〜６ａは左向きとされ、右側３つのフック７〜９の係合爪は７ａ〜９ａは右向きとされている。
【００２２】
又、左右両端のフック４，９と他のフック５〜８の形状は異なっており、左右両端のフック４，９の形状は図６に示すように鈍角のＬ字状とされ(図６にはフック４のみ図示)、他のフック５〜８は図７に示すように直角のＬ字状とされている（図７にはフック５のみ図示）。
【００２３】
而して、加飾部品２は以下の要領によってガーニッシュ１に取り付けられる。
【００２４】
即ち、加飾部品２をガーニッシュ１のフレーム１Ａに取り付けるには、図８に示すように、その背面に突設されたフック４〜９をガーニッシュ１側に向けた状態で該加飾部品２を表面側が凸となるように弓状に湾曲させ、その両端のフック４，９の互いに逆方向を向く係合爪４ａ，９ａを図９に示すように(図９には一方のフック４のみを示す)ガーニッシュ１の係合孔３に引っ掛ける。そして、その状態から加飾部品２に加えていた力を開放すれば、該加飾部品２が弾性復元力によって元の直線形状に復帰する。このとき、加飾部品２の幅方向両端が外側方に向かって図８の矢印方向に移動するため、該加飾部品２の幅方向両端のフック４，９の係合爪４ａ，９ａがガーニッシュ１の係合孔３に係合するとともに(図４参照)、他のフック５〜８の係合爪５ａ〜８ａもガーニッシュ１の係合孔３に係合するため、図３に示すように加飾部品２がガーニッシュ１に確実の取り付けられる。
【００２５】
以上のように、本発明に係る加飾部品２のガーニッシュ１への取付方法によれば、ガーニッシュ１の係合孔３を幅方向に長い長孔としたため、該係合孔３に係合するフック４〜９が突設された加飾部品２に上下方向の外力が作用しても、加飾部品２のフック４〜９の係合爪４ａ〜９ａがガーニッシュ１の係合孔３から外れることがなく、例えばガーニッシュ１の表面をウエス等で上下方向に拭いたために加飾部品２の幅方向両端にウエス等が引っ掛かっても加飾部品２がガーニッシュ１から外れることがなく、該加飾部品２がガーニッシュ１に確実に取り付けられる。即ち、本実施の形態では、加飾部品２のフック４〜９の係合爪４ａ〜９ａが係合するガーニッシュ１の係合孔３を外力が作用する上下方向に対して直交する幅方向（横方向）としたため、加飾部品２は外力の作用方向である上下方向には外れにくくなる。
【００２６】
尚、本発明は、車載用のエアコンコントロールパネルやオーディオコントロールパネル等における加飾部品の取付方法に対して有効である。
【符号の説明】
【００２７】
１          ガーニッシュ（パネル部材）
１Ａ        ガーニッシュのフレーム
２          加飾部品（オーナメント）
３          係合孔
４〜９      フック
４ａ〜９ａ  フックの係合爪
【図１】
0005878767.tif 000002
【図２】
0005878767.tif 000003
【図３】
0005878767.tif 000004
【図４】
0005878767.tif 000005
【図５】
0005878767.tif 000006
【図６】
0005878767.tif 000007
【図７】
0005878767.tif 000008
【図８】
0005878767.tif 000009
【図９】
0005878767.tif 000010
【図１０】
0005878767.tif 000011
【図１１】
0005878767.tif 000012
【図１２】
0005878767.tif 000013